(57)【要約】【課題】  エスカレーター装置からチェーンを取り外さないで、走行ローラを交換する。【解決手段】  エスカレーター装置は、乗客を載せる多数のステップ１７と、このステップを駆動するチェーン９と、チェーンにステップを固定するステップ固定軸２と、ステップを支持する走行ローラ１とを有する。走行ローラはチェーンに内蔵されている。チェーンは内プレート５と外プレート４とを有する。内プレートと外プレートとを、外プレートから取り外し可能な固定ピン７、８で接続する。【選択図】  図３
2005119811.tif 000002
【特許請求の範囲】
【請求項１】
乗客を載せる多数のステップと、このステップを駆動するチェーンと、チェーンにステップを固定するステップ固定軸と、ステップを支持する走行ローラとを有するエスカレーター装置において、前記走行ローラをチェーンに内蔵し、チェーンとステップ固定軸とを、ステップ固定軸から取り外し可能な固定ピンで固定したことを特徴とするエスカレーター装置。
【請求項２】
乗客を載せる多数のステップと、このステップを駆動するチェーンと、ステップを支持する走行ローラとを有するエスカレーター装置において、前記走行ローラをチェーンに内蔵し、チェーンとステップとを、ステップから取り外し可能な固定ピンで固定したことを特徴とするエスカレーター装置。
【請求項３】
前記チェーンは、外プレートと、一体的に形成された左側内プレート及び左側ブッシュと、一体的に形成された右側内プレート及び右側ブッシュとを有することを特徴とする請求項１または２に記載のエスカレーター装置。
【請求項４】
前記ステップ固定ピンにおねじを、ステップ固定軸またはステップの少なくともいずれかにめねじを形成し、形成したおねじとめねじとを螺合させて前記チェーンをステップに固定したことを特徴とする請求項１ないし３のいずれか１項に記載のエスカレーター装置。
【請求項５】
前記ステップ固定ピン及びステップ固定軸に割りピン穴を形成し、この割ピン穴に係合する割りピンを有し、この割ピンでステップ固定ピンとステップ固定軸とを固定したことを特徴とする請求項１ないし３のいずれか１項に記載のエスカレーター装置。
【請求項６】
前記ステップ固定ピンとステップに割りピン穴を形成し、この割ピン穴に係合する割りピンを有し、この割ピンでステップ固定ピンとステップとを固定したことを特徴とする請求項１ないし３のいずれか１項に記載のエスカレーター装置。
【発明の詳細な説明】
【技術分野】
【０００１】
本発明は、エスカレーター装置等の動く歩道に係り、特に走行ローラをチェーンに内蔵したエスカレーター装置に関する。
【背景技術】
【０００２】
従来のエスカレーター装置に使用されるチェーンの例が、非特許文献１に記載されている。この文献に記載のエスカレーターでは、チェーンとステップとをステップ固定軸を用いて連結している。従来のエスカレーター装置に使用されるエンドレスベルトの他の例が、特許文献１に記載されている。この公報に記載のエンドレスベルトは、その図３に示されるように左右対をなすチェーンリンクの間に、走行ローラを内蔵している。これにより、外側に張り出していたローラの幅だけ装置の幅方向寸法を短くしている。また、特許文献２には、後部走行ローラ用にセルフタッピングねじを用いてローラを固定することが記載されている。
【０００３】
【特許文献１】特開平８−２１７３６８公報
【０００４】
【特許文献２】特開２０００−２３３８８３公報
【非特許文献１】椿本チェイン編、「機械要素活用マニュアル・チェーン」、Ｐ１３４、１９９５年、工業調査会
【発明の開示】
【発明が解決しようとする課題】
【０００５】
従来のエスカレーター装置に用いる走行ローラは、ニトリルゴムやウレタンゴムといったゴム系材料で被覆されており、稼動頻度や環境によりゴム部に亀裂が発生して剥離する場合がある。このようなときには、走行ローラを交換しなければならないが、上記特許文献１に記載のローラ内蔵型チェーンにおいては、走行ローラがリンクプレートの間に挟まれているので、チェーンを一旦機体から取り外さないとステップ固定軸をチェーンから引き抜くことができない。そのため、現地での走行ローラの交換が非常に困難であった。また特許文献２に記載のセルフタッピングねじを用いる方法は、後部走行ローラについてだけであり、前輪ローラについては考慮されていない。すなわち、これらいずれの文献に記載のエレベーター装置においても、保守費用を削減するために、現地で容易に走行ローラを交換できるようにすることについての考慮が不十分である。
【０００６】
本発明は上記従来技術の不具合に鑑みなされたものであり、その目的は、走行ローラの交換を容易にすることにある。
【課題を解決するための手段】
【０００７】
上記目的を達成する本発明の特徴は、乗客を載せる多数のステップと、このステップを駆動するチェーンと、チェーンにステップを固定するステップ固定軸と、ステップを支持する走行ローラとを有するエスカレーター装置において、走行ローラをチェーンに内蔵し、チェーンとステップ固定軸とを、ステップ固定軸から取り外し可能な固定ピンで固定したことにある。
【０００８】
上記目的を達成する本発明の他の特徴は、乗客を載せる多数のステップと、このステップを駆動するチェーンと、ステップを支持する走行ローラとを有するエスカレーター装置において、走行ローラをチェーンに内蔵し、チェーンとステップとを、ステップから取り外し可能な固定ピンで固定したこにある。
【０００９】
そしてこれらの特徴において、チェーンは、外プレートと、一体的に形成された左側内プレート及び左側ブッシュと、一体的に形成された右側内プレート及び右側ブッシュとを有するのがよく、ステップ固定ピンにおねじを、ステップ固定軸またはステップの少なくともいずれかにめねじを形成し、形成したおねじとめねじとを螺合させてチェーンをステップに固定するようにしてもよい。また、ステップ固定ピンとステップ固定軸またはステップに割りピン穴を形成し、この割ピン穴に係合する割りピンを有し、この割ピンでステップ固定ピンとステップ固定軸、またはステップ固定ピンとステップとを固定するようにしてもよい。
【発明の効果】
【００１０】
本発明によれば、走行ローラをチェーンに内蔵するエスカレーター装置において、チェーンとステップ固定軸とをステップ固定軸から取り外し可能な固定ピンで固定するか、チェーンとステップとをステップから取り外し可能な固定ピンで固定するか、している。チェーンを取り外すことなく、走行ローラを交換できる。その結果、エスカレーター装置の幅方向寸法を狭めるとともに、保守コストを低減できる。
【発明を実施するための最良の形態】
【００１１】
以下、本発明に係るエスカレーター装置のいくつかの実施例を、図面を用いて説明する。  
【実施例１】
【００１２】
図１に、エスカレーター装置の一実施例の正面断面図を示す。この図１は、エスカレーター装置が有するチェーン９を、組み立てた状態を示している。左右対をなす２枚の内プレート５は長手方向両端部に穴が形成されており、この穴に中空のブッシュ６がしまりばめで嵌合している。内プレート５で挟まれた区間であってブッシュ６の中間部には、転がり軸受１ａが取り付けられており、転がり軸受１ａの外輪側には走行ローラ１が取り付けられている。
【００１３】
内プレート５の両端部には、この内プレート５から延在する方向に左右対をなす外プレート４が内プレート５を挟みこむように配置されている。外プレート４の両端部にも穴４ａが形成されている。外プレート４の穴４ａとブッシュ６の内部に、２種類の固定ピン、すなわち、ステップ固定ピン７およびローラ固定ピン８を貫通させ、内プレート５と外プレート４を結合する。ステップ固定ピン７とローラ固定ピン８とは、チェーン９の延びる方向に交互に配置されている。ステップ固定ピン７は、一方の外プレート４から突き出ており、突き出た側はステップ固定ブラケット３が取り付けられたステップ固定軸２の穴２ａに嵌合している。ステップ固定ピン７と外プレート４およびローラ固定ピン８と外プレート４とは締まりばめになっており、ステップ固定ピン7、ローラ固定ピン８とブッシュ６とは隙間ばめになっている。
【００１４】
図２および図３に、チェーン９を分解した状態を示す。図２はチェーン９の正面断面図、図３はチェーン９およびステップ１７の斜視図である。ステップ固定ピン７とステップ固定軸２との係合を解き、外プレート４との嵌合が外れるように、ステップ固定ピン７をステップ１７が無い方に、図２では左側方向に抜き出す。同様にローラ固定ピン８と外プレートの嵌合が外れるように、ローラ固定ピンをステップが無い方、図２では左側方向に抜き出す。２種類のピン７、８を外プレート４から外すと、走行ローラ１およびブッシュ６、内プレート５は、一体となってチェーン９から外れる。
【００１５】
なおステップ１７は、ステップ固定ブラケット３に固定されているので、ステップ固定軸２もステップ１７に固定されている。その結果、ステップ固定ピン７をステップ固定軸２の穴２ａから抜き出すと、チェーン９とステップ１７とが分離する。本実施例によれば、チェーン９全体をエスカレーター装置から取り外さなくとも、損傷した走行ローラ１だけを交換することができる。
【実施例２】
【００１６】
本発明に係るエスカレーター装置の他の実施例を、図４を用いて説明する。図４は、チェーン９の正面断面図である。左側内プレート５ａの長手方向両端部には穴が形成されており、この穴に左側ブッシュ６ａが一体的に取り付けられている。同様に、右側内プレート５ｂ両端部にも穴が形成されており、右側ブッシュ５ｂがその穴に一体的に取り付けられている。図示しない外プレート４およびステップ固定ピン７、ローラ固定ピン８を実施例１に示したのと同様に取り付けることにより、無端状のチェーン９が形成される。逆に、ステップ固定ピン７とローラ固定ピン８とを外プレート４から取り外すことにより、チェーン９のローラ損傷部だけを分解して、軸受１ａを有する損傷したローラ１だけを取り外す。
【００１７】
なお、内プレート５ａ、５ｂとブッシュ６ａ、６ｂとの嵌合部は締まりばめとなっている。そのため、分解や組み立てを繰り返すと嵌合部のしめしろが小さくなり、抜け易くなる。本実施例ではブッシュ６ａ、６ｂをチェーン９の幅方向中間部で分割しているので、ブッシュ６ａ、６ｂと内プレート５ａ、５ｂとの嵌合を外さないでローラ１を交換できる。したがって、チェーン９の寿命が延びるとともに、損傷したローラ１だけを交換できるので経済的である。
【実施例３】
【００１８】
本発明に係るエスカレーター装置のさらに他の実施例を、図５を用いて説明する。図５はチェーン９部の正面断面図である。本実施例が、図１に示した実施例と異なるのは、ステップ固定ピン７ａの先端部に、おねじ１０を形成したことにある。これに伴い、ステップ固定軸２ｄには、端部側から順に中空部１２とめねじ１１とが形成されている。外プレート４と内プレート５、ステップ固定軸２ｄとをステップ固定ピン７ａを用いて連結する。そして、ステップ固定ピン７ａの先端に形成したおねじ１０と、ステップ固定軸２ｄに形成しためねじ１１とをねじ締結する。
【００１９】
ステップ固定軸２ｄには、中空部１２に貫通して止めねじ穴１４が形成されており、この止めねじ穴１４に止めねじ１３をねじ止めしてステップ固定ピン７ａの脱落を防止する。なお、図示しないステップがステップ固定軸２ｄに、ステップ固定ブラケット３を介して連結される。本実施例によれば、運転中にステップ固定ピン７ａが脱落するのを防止できるとともに、保守時にステップ固定ピン７ａを容易に抜き出すことができる。
【実施例４】
【００２０】
本発明に係るエスカレーター装置のさらに他の実施例を、図６を用いて説明する。図６はチェーン９部正面断面図である。本実施例が図１に示した実施例と異なるのは、ステップ固定軸を省いてステップ固定ブラケット３ｂに直接ステップ固定ピン７ｂを取り付けていることにある。その際、ステップ固定ピン７ｂをステップ固定ブラケット３ｂに固定するため、ステップ固定ピン７ｂとステップ固定ブラケット３ｂの双方に、軸に直交する貫通穴（割ピン穴）１６ａ、１６ｂを設けている。
【００２１】
ステップ固定ピン７ｂをステップ固定ブラケット３ｂに形成した中空部１２ｂに挿入した後、割ピン穴１６ａ、１６ｂに割りピン１５を挿入する。これにより、ステップ固定ピン７ｂがステップ固定ブラケット３ｂに固定される。図示しないステップは、ステップ固定ブラケット上に固定されている。本実施例によれば、運転中のステップ固定ピンの脱落を防止できるとともに、保守時にステップ固定ピンをステップ固定ブラケットから容易に抜き出すことができる。
【００２２】
上記各実施例に示したエスカレーター装置あるいは動く歩道における走行ローラの交換方法を、図７および図８を用いて説明する。図７はローラ交換に使用する交換治具１９の斜視図であり、図８は図７に示した交換治具を用いてローラ交換する様子を示す斜視図である。ローラ交換治具１９は、ボルト２２と、ボルト２２に嵌合する角棒状のクランプ２１と、ボルト２２のねじ部に取り付けられ、丸棒状のピン部２０ａを有する固定ピン２０とを有している。
【００２３】
エスカレーター装置の端部に位置するターミナルギヤ２３の側面には、交換治具１９の固定ピンに合致した治具固定穴２４が、ターミナルギヤ２３の歯数分だけ等ピッチに形成されている。損傷が発見されたローラ１を有するチェーン９部の近傍に位置する治具固定穴２４に固定ピン２０のピン部２０ａを挿入する。固定ピン２０が挿入されターミナルギヤ２３の歯部に巻きかけられたチェーン９の部分であって、同一の内プレート５で保持したローラ間にクランプ２１を位置付けて、チェーン９を挟む。ボルト２２をクランプ２１に形成された穴に通した後、さらに、固定ピン２０のねじ穴に螺合させる。これにより、チェーン９がターミナルギヤ２３に固定される。
【００２４】
２個の固定治具１９を、ターミナルギヤ２３の周方向に間隔を置いて取り付ける。ターミナルギヤ２３に巻きかけられたチェーン９を連結するステップ固定ピン７またはローラ固定ピン８であって、２個の固定治具１９に挟まれた部分に位置するステップ固定ピン７またはローラ固定ピン８を、外プレート４から取り外す。固定治具１９でチェーン９の端部を保持しているので、ステップ固定ピン７またはローラ固定ピン８を抜き出しても、チェーン９はターミナルギヤ２３から離れずターミナルギヤ２３に保持される。したがって、走行ローラの交換が容易になる。
【図面の簡単な説明】
【００２５】
【図１】本発明に係るチェーンの一実施例の断面図である。
【図２】図１に示したチェーンの断面図である。
【図３】図１に示したチェーンの斜視図である。
【図４】本発明に係るチェーンの他の実施例の断面図である。
【図５】本発明に係るチェーンのさらに他の実施例の断面図である。
【図６】本発明に係るチェーンのさらに他の実施例の断面図である。
【図７】本発明に係るローラ交換治具の一実施例の斜視図である。
【図８】走行ローラの交換手順を説明する図である。
【符号の説明】
【００２６】
１…走行ローラ、２…ステップ固定軸、３…ステップ固定ブラケット、４…外プレート、５…内プレート、５ａ…左側内プレート、５ｂ…右側内プレート、６…ブッシュ、６ａ…左側ブッシュ、６ｂ…右側ブッシュ、７…ステップ固定ピン、８…ローラ固定ピン、９…チェーン、１０…おねじ、１１…めねじ、１２…中空部、１３…止めねじ、１４…止めねじ穴、１５…割りピン、１６…割りピン穴、１７…ステップ、１８…後部走行ローラ、１９…ローラ交換治具、２０…固定ピン、２１…クランプ、２２…ボルト、２３…ターミナルギヤ、２４…治具固定穴。
【図１】
2005119811.tif 000003
【図２】
2005119811.tif 000004
【図３】
2005119811.tif 000005
【図４】
2005119811.tif 000006
【図５】
2005119811.tif 000007
【図６】
2005119811.tif 000008
【図７】
2005119811.tif 000009
【図８】
2005119811.tif 000010